(57)【要約】      （修正有）【課題】どのような角度・方向に噴霧する場合でも、液吸上げパイプの先端が容器内液中に在るよう、容器を垂直に保つことが出来るスプレー噴霧器を提供する。【解決手段】液体容器６に取り付けるキャップ蓋４と、液体容器６とキャップ蓋４の間に介在させるパッキンと、スプレー噴霧器１と、ホース２、５と、パッキンに取り付けた吊り下げベルト３と、を備え、キャップ蓋４と適合する口を持つ所定の液体容器６にキャップ蓋４を取り付けることにより、スプレー噴霧器１付き液体容器６を作る。ホース２、５は自由に曲げることの出来るやわらかい材質とすると共に、キャップ蓋４を液体容器６に取り付けた時、ホース２、５が液体容器６底部に十分届く長さを残してキャップ蓋４を通り、キャップ蓋４から所定の長さ延長されてスプレー噴霧器１に連結されている。【選択図】図１
0003211170.tif 000002
【実用新案登録請求の範囲】
【請求項１】
図２の請求範囲のもので、容器内底部から液体容器キャップ蓋を通ってピストル型手動ポンプ式スプレー噴霧器までのホース部と吊ベルトを付けた容器部を組み合わせた構造を持つもの
【請求項２】
図３のように、容器を含まず吊り下げベルトを容器蓋キャップに取り付けたもので、図４のように容器に蓋キャップをすることで容器に釣りベルトを取り付ける形のもの
【請求項３】
図５のように容器を含まず容器の口の大きさの穴を持つパッキン状のものに吊りベルトを取り付けたもので、図６のように容器蓋キャップと容器の間にこのパッキン上のものを挟むことのよって容器にを取り付けるもので、この方法で吊りベルトを容器に取り付けて使用するもの
【考案の詳細な説明】
【技術分野】
【０００１】
液体容器と一体になったスプレー噴霧器に関する技術
【背景技術】
【０００２】
市販園芸用の液体殺虫剤や消毒液・栄養液などは、図７のような液体の入った容器部と容器上部にピストル型手動ポンプが付いたスプレー噴霧部を持つ一体型の形で販売されているものが多い。
【０００３】
このスプレー噴霧部付き容器では容器内部にある液吸上げ用パイプ先端が容器内の液の水面下で容器内の底にあり、ピストル型手動ポンプで液を吸上げ噴霧を行うものである。
【考案の概要】
【考案が解決しようとする課題】
【０００４】
容器を逆様にした場合は勿論、容器内の液量が少なくなった場合に傾けたりすると液吸上げ用パイプ先端が容器内の液の水面上に出てしまい液を吸上げることが出来ず、このためにピストル型手動ポンプで液を噴霧する事が出来なくなる。
【０００５】
例えば野菜の葉の裏側に液を噴霧したい場合などで、容器をひっくり返してスプレー噴霧部を下にして噴霧したいことがあるが、こんな時には液吸上げ用パイプ先端が容器内の液の水面上に出てしまうので、液の吸い上げが不能となり噴霧する事が出来なくなる。
【課題を解決するための手段】
【０００６】
容易に噴霧しつつ容器内の液を使い切るには、容器内で液の吸い上げ用ホースの先端が常に液体中になければならず、このためには容器を垂直に保つ必要がある。
【０００７】
つまりどのような角度・方向に噴霧する場合でも液吸上げパイプの先端が容器内液中に在る様、常に容器を垂直に保つことが出来れば問題を解決できる。
【０００８】
液体の入った容器部とスプレー噴霧部を分離し、容器部内の吸上げ管を自由に曲げることの出来るやわらかい材質のホースとし、適当な長さに延長してスプレー噴霧部と連結する。
【０００９】
柔らかなホースは容器内の底部に届くものとし、容器底部から容器蓋キャップを通りスプレー噴霧部に連結されている。
【００１０】
容器蓋キャップから、スプレー噴霧器までの柔らかなホースの長さは、容器を固定した状態でスプレー噴霧器を握り自由な角度方向に動かすことの出来る長さとする。
【００１１】
容器部分にフックを付け手首にぶら下げる為の吊り下げベルトを取り付ける
【００１２】
吊り下げベルトを手首にはめた状態で吊り下げベルトをはめた手でスプレー噴霧簿部を握り噴霧する。
【考案の効果】
【００１３】
手首に吊り下げた容器は常に垂直が保たれており容器内の液体が残っている限り容器内の液吸上げ用ホース部の先端は液体の液面下にある為、ピストル型手動ポンプは常に吸上げが可能な状態にあり、容易にスプレー噴霧することができる。
【００１４】
スプレー噴霧部はやわらかいホースで容器蓋キャップを通り吸上げ部までと連結されており、手首の操作でどのような角度・方向にでも噴霧することが出来る
【図面の簡単な説明】
【００１５】
【図１】考案のスプレー噴霧器付き容器全体図
【図２】考案の範囲を示す図
【図３】考案の範囲を示す図
【図４】図３の物を容器に取り付けた図
【図５】考案の範囲を示す図
【図６】図５の物を容器に取り付けた図
【図７】一般的に市販されているピストル型手動ポンプ式スプレー噴霧器付き容器
【考案を実施するための形態】
【００１６】
以下図を使って説明する
【００１７】
スプレー噴霧部1にシリコンホース2の部分をつなぎ容器ふた4を通って容器６内でシリコンホースの５の部分ように底部に届くようにする
【００１８】
シリコンホース２の部分は直線にして２０cmとし、シリコンホース５の部分は容器内の底部まで伸ばし、液体7に必ず沈むようにする
【００１９】
手首吊り下げベルト３は容器蓋キャップ４に取り付けられており、手首から５ｃｍ程度下にぶら下がるサイズにする
【００２０】
手首吊り下げベルト３は、図４又は図６のように取り付けても同じ効果が得られる。
【実施例】
【００２１】
シリコンホースはやわらかくどのようにでも湾曲するのでスプレー噴霧部１を握り、手首や腕の操作により、噴霧ノズルをすべての方向に向け噴霧することができる
【００２２】
容器部は、吊り下げベルト３によって手首から吊り下げられており、地面に対して常に垂直が維持されている。
【００２３】
手首の動きにより自由にスプレー噴霧部1を操作しても、容器部６は常に垂直が保たれている為シリコンホースの容器内部分５の先端は容器６に液が残っている限り液水面下にあり液の吸い上げが可能な状態にある。
【００２４】
本考案の形のスプレー噴霧部付き容器を使用すれば、どの方向どの角度にでも噴霧でき、しかも容器内に液がある限り容易に液を噴霧し続けることが出来る。
【産業上の利用可能性】
【００２５】
現在市販されている園芸用液体殺虫剤や液体肥料などは図７のようなピストル型ポンプ式スプレー噴霧器と液体の入った容器が一体となった形で販売されているものが多いが、散布の際に噴霧方向を変えようと噴霧器を動かすと容器本体も一緒に動いてしまうために吸い上げ用のホース先端が液面から空気中に出てしまい液体の吸い上げがスムーズに行かず不便を感じている人が多い。
【００２６】
これを簡単に解決できる本考案を市販されている園芸用の液体殺虫剤や液体肥料の容器に使用すれば販売効果が大きく見込める
【００２７】
既存の噴霧器と一体型の容器を改造したい場合は実施例に示す図４又は図６のように容器キャップ蓋部分に吊ベルトをつける形の商品を作れば、既存の容器の噴霧器をはずして本考案の形態のもを取り付けることが出来る。
【００２８】
図３や図５の形態の商品を作れば、既存のスプレー噴霧器付きの一体型容器を本考案の形態の容器に改造することができるのでこの商品も需要が多いと思われる。
【符号の説明】
【００２９】
1  ピストル型ポンプ式スプレー噴霧器
２  液吸い上げようホース
３  吊り下げベルト
４  キャップ蓋
5  ホース２の延長部分
6  液体容器
７  液体
【図１】
0003211170.tif 000003
【図２】
0003211170.tif 000004
【図３】
0003211170.tif 000005
【図４】
0003211170.tif 000006
【図５】
0003211170.tif 000007
【図６】
0003211170.tif 000008
【図７】
0003211170.tif 000009
【手続補正書】
【提出日】平成29年4月27日(2017.4.27)
【手続補正１】
【補正対象書類名】実用新案登録請求の範囲
【補正対象項目名】全文
【補正方法】変更
【補正の内容】
【実用新案登録請求の範囲】
【請求項１】
液体容器と、前記液体容器に取り付けるキャップ蓋と、スプレー噴霧器と、ホースと、前記液体容器又は前記キャップ蓋に取り付けた吊り下げベルトと、を備えるスプレー噴霧器付き容器であって、
前記ホースは、自由に曲げることの出来るやわらかい材質とすると共に、前記液体容器の底部から前記キャップ蓋を通って、前記キャップ蓋から所定長さ延長されて前記スプレーに連結されていることを特徴とするスプレー噴霧器付き容器
【請求項２】
液体容器に取り付けるキャップ蓋と、前記液体容器とキャップ蓋の間に介在させるパッキンと、スプレー噴霧器と、ホースと、前記パッキンに取り付けた吊り下げベルトと、を備え、前記キャップ蓋と適合する口を持つ所定の液体容器に前記キャップ蓋を取り付けることにより、スプレー噴霧器付き容器を作る、為のスプレー噴霧器であって、
前記ホースは自由に曲げることの出来るやわらかい材質とすると共に、前記キャップ蓋を前記液体容器に取り付けた時、前記ホースが前記液体容器底部に十分届く長さを残して前記キャップを通り、前記キャップから所定の長さ延長されて前記スプレー噴霧器に連結されていることを特徴とするスプレー噴霧器
【請求項３】
キャップ蓋と、ホースと、前記キャップ蓋に取り付けた吊り下げベルトと、を備え、前記キャップ蓋と適合する口を持つ所定の液体容器に前記キャップ蓋を取り付けることにより、スプレー噴霧器付き容器を作る、為のスプレー噴霧器であって、
前記ホースは自由に曲げることの出来るやわらかい材質とすると共に、前記キャップ蓋を前記液体容器に取り付けた時、前記ホースが前記液体容器底部に十分届く長さを残して前記キャップを通り、前記キャップから所定の長さ延長されて前記スプレー噴霧器に連結されていることを特徴とするスプレー噴霧器